(57)【要約】  【課題】  カメラ付き携帯端末装置において、カメラライト部の発光輝度の確保と装置の省電力化とが可能な技術の提供。  【解決手段】  撮影時、カメラライト部の駆動電力を増大させるとき、表示部照明用の照明部の駆動電力を減少させて、カメラライト部と照明部の合計消費電力の増大を抑える。また、カメラライト部と照明部とを、電源部を共用した駆動回路により駆動する。【選択図】  図５
2005142916.tif 000002
【特許請求の範囲】
【請求項１】
カメラ付き携帯端末装置であって、
被写体を照明する照明光を発生するカメラライト部と、
画像情報を表示する表示部と、
上記表示部を照明する照明光を発生する照明部と、
上記カメラライト部と上記照明部とを、電源部を共用して駆動する駆動手段と、
を備えた構成を特徴とするカメラ付き携帯端末装置。
【請求項２】
カメラ付き携帯端末装置であって、
被写体を照明する照明光を発生するカメラライト部と、
画像情報を表示する表示部と、
上記表示部を照明する照明光を発生する照明部と、
上記カメラライト部と上記照明部とを、互いに独立的に駆動する駆動手段と、
を備え、上記カメラライト部による照明と上記照明部による照明とを別個に制御する構成としたことを特徴とするカメラ付き携帯端末装置。
【請求項３】
カメラ付き携帯端末装置であって、
被写体を照明する照明光を発生するカメラライト部と、
画像情報を表示する表示部と、
上記表示部を照明する照明光を発生する照明部と、
上記カメラライト部と上記照明部とを、電源部を共用して駆動するとともに、互いに独立的にそれぞれの駆動状態を変える駆動手段と、
上記表示部及び上記駆動手段を制御する制御手段と、
を備え、上記カメラライト部の駆動電力を増大させるとき、上記照明部の駆動電力を減少させる構成としたことを特徴とするカメラ付き携帯端末装置。
【請求項４】
カメラ付き携帯端末装置であって、
被写体を照明する照明光を発生するカメラライト部と、
画像情報を表示する表示部と、
上記表示部を照明する照明光を発生する照明部と、
上記カメラライト部と上記照明部とを、電源部を共用して駆動するとともに、互いに独立的にそれぞれの駆動状態を変える駆動手段と、
上記カメラライト部からの照明光がオン状態にあるかオフ状態にあるかを検知し該検知結果により上記駆動手段を制御する制御手段と、
を備え、上記カメラライト部からの照明光がオン状態にあるとき、撮影時に上記制御手段は上記駆動手段を制御し、上記照明部からの照明光の強さを低下させるとともに上記カメラライト部からの照明光の強さを増大させる構成としたことを特徴とするカメラ付き携帯端末装置。
【請求項５】
上記駆動手段は、１つのパッケージ内に構成される請求項１から４のいずれかに記載のカメラ付き携帯端末装置。
【請求項６】
上記カメラライト部、上記照明部はそれぞれ、ＬＥＤにより上記各照明光を発生する構成である請求項１から４のいずれかに記載のカメラ付き携帯端末装置。
【請求項７】
上記駆動手段は、上記カメラライト部が照明光を発生しているとき、上記照明部の駆動電流を定常時よりも減少させるかまたはゼロにする構成である請求項１から４のいずれかに記載のカメラ付き携帯端末装置。
【請求項８】
上記駆動手段は、上記カメラライト部の駆動電流を増大させてその照明光を増大させ、上記照明部の駆動電流を減少させてその照明光を減少させるとき、該カメラライト部の該駆動電流または駆動電力の増大分と該照明部の該駆動電流または駆動電力の減少分とが略等しくされる構成である請求項１から４のいずれかに記載のカメラ付き携帯端末装置。
【請求項９】
カメラ付き携帯端末装置の照明制御方法であって、
装置モードが撮影モードにされた状態で、表示部を照明する照明部の駆動電流値を定常時よりも減少させるかゼロにして、発生照明光の強さを低下させるとともに、被写体を照明するカメラライト部の駆動電流値を増大させ発生照明光の強さを増大させる第１のステップと、
被写体の撮影後、撮影終了を検知し、上記カメラライト部及び上記照明部の駆動電流値を上記撮影前のレベルに戻して発生照明光の強さを戻す第２のステップと、
を経て、撮影時の照明制御を行うことを特徴とするカメラ付き携帯端末装置の照明制御方法。
【請求項１０】
カメラ付き携帯端末装置の照明制御用プログラムであって、
ＣＰＵに、
装置モードが撮影モードにされた状態で、表示部を照明する照明部の駆動電流値を定常時よりも減少させるかゼロにして発生照明光の強さを低下させるとともに、被写体を照明するカメラライト部の駆動電流値を増大させて発生照明光の強さを増大させる手順と、
被写体の撮影後、撮影終了を検知し、上記カメラライト部及び上記照明部の駆動電流値を上記撮影前のレベルに戻す手順と、
を実行させ、撮影時の照明制御を行うことを特徴とするカメラ付き携帯端末装置の照明制御用プログラム。
【発明の詳細な説明】
【技術分野】
【０００１】
本発明は、カメラ付き携帯端末装置に係り、特に、その照明制御技術に関する。
【背景技術】
【０００２】
近年、携帯電話等のカメラ付き携帯端末装置においても、暗い場所での撮影が可能なようにカメラライト機能を有するものが注目されている。
本発明に関連した従来技術としては、例えば、特開２００３−１５８６７５号公報（特許文献１）、特開平１１−３４１３２２号公報（特許文献２）及び特開２００１−１５９８８０号公報（特許文献３）に記載されたものがある。特開２００３−１５８６７５号公報には、撮像装置において、被写体を照明する光の発光部（カメラライト部）に起因するノイズの低減と設計自由度の向上のために、該発光部（カメラライト部）に白色ＬＥＤ（Ｌｉｇｈｔ  Ｅｍｉｔｔｉｎｇ  Ｄｉｏｄｅ）を用い、該白色ＬＥＤに供給する駆動電流を変えたり、該白色ＬＥＤの駆動数を変えたりして光量制御を行うとするカメラライト部の発光制御技術が記載され、特開平１１−３４１３２２号公報には、デジタルカメラにおいて、消費電力の節減化のために、シャッターボタンの押下により、ＩＣカードへのデータ書込み処理を開始するとともに、電源からＬＣＤ照明に供給する電力を、シャッターボタン押下前の電力より減少させ、該ＩＣカードへのデータ書込み処理が終了すると、電源からＬＣＤバックライトに供給する電力を、シャッターボタン押下前の電力と同じレベルに戻すとする制御技術が記載され、また、特開２００１−１５９８８０号公報には、情報処理装置において、カメラによって撮像された画像を電池残量の影響を受けずに見易くするために、カメラ起動時にバックライトの輝度レベルを低下させて電池電圧の低下を抑えるとともに、画像のコントラストを該バックライトの輝度レベル変更に応じて変えるとする技術が記載されている。
【０００３】
【特許文献１】特開２００３−１５８６７５号公報
【０００４】
【特許文献２】特開平１１−３４１３２２号公報
【特許文献３】特開２００１−１５９８８０号公報
【発明の開示】
【発明が解決しようとする課題】
【０００５】
上記従来技術のうち、特開２００３−１５８６７５号公報記載の技術は、発光部（カメラライト部）の動作モードについては、該発光部の白色ＬＥＤの駆動電流や点灯数を変えることで自動発光モードと発光禁止モードとに切替えるものであり、照明部（バックライト部）の動作状態を、該カメラライト部の状態に応じて変えるものではない。駆動回路についても、小形化や低コスト化のための技術思想はない。また、消費電力については、カメラライト部としての該白色ＬＥＤからの必要以上の光の照射をなくして無駄な電力消費をなくすとするものであって、該カメラライト部と照明部（バックライト部）とを合わせた全体での駆動電力の増大を抑えるとした技術でもない。また、上記特開平１１−３４１３２２号公報記載の技術は、デジタルカメラにおいて、シャッターボタンの押下後、ＩＣカードへのデータ書込み処理時に、電源からＬＣＤバックライト部（照明部）に供給する電力を減少させるものであり、また、上記特開２００１−１５９８８０号公報記載の技術は、情報処理装置において、電池電圧の低下を抑えるために、カメラ起動時にバックライト部の輝度レベルを低下させるもので、いずれも、カメラライト部の駆動時に、該バックライト部（照明部）及びカメラライト部を含む照明部全体での駆動電力を抑える技術ではない。また、これら３公報記載の技術には、駆動回路を含めた部品または装置全体での小形化や低コスト化のための思想もない。全ての駆動電力が電池から供給される装置においては、駆動電力の増大は、電池を充電なしで連続使用可能な時間の短縮化につながる。
【０００６】
本発明の課題点は、上記従来技術の状況に鑑み、カメラ付きの携帯端末装置において、（１）カメラライト部の駆動時に、該カメラライト部での発生照明光の強さを確保した状態で、カメラライト部と照明部（バックライト部またはフロントライト部）とを合わせた全体での駆動電力の増大を抑えられようにすること、（２）少なくとも、カメラライト部と照明部とを駆動する駆動回路の小形化及び低コスト化を可能にすること、である。
本発明の目的は、かかる課題点を解決し、小形、省電力で電池の使用時間が長く、暗い場所でも所定の照明を確保できる使い勝手の良いカメラ付き携帯端末装置を提供することにある。
【課題を解決するための手段】
【０００７】
上記課題点を解決するために、本発明では、基本的に、カメラ付きの携帯端末装置における照明制御技術として、（１）撮影時、カメラライト部による被写体照明用の駆動電力を増大させるときには、照明部による表示部照明用の駆動電力を減少させ、該カメラライト部と該照明部とを合わせた全体での消費電力の増大を抑える。また、（２）カメラライト部と照明部とを、電源部を共用して駆動する構成とし、駆動回路の小形化と低コスト化を図る。具体的には、上記を基本構成要件とした携帯端末装置、その照明制御方法及び照明制御用プログラムを本発明として提案する。
【発明の効果】
【０００８】
本発明によれば、小形、省電力で使い勝手の良いカメラ付き携帯端末装置の提供が可能となる。
【発明を実施するための最良の形態】
【０００９】
以下、本発明を実施するための最良の形態につき、図面を用いて説明する。
図１〜図５は、本発明の実施形態の説明図である。図１は、本発明の実施形態としてのカメラ付きの携帯端末装置の構成例図、図２は、図１における照明系の構成例図、図３は、図１の装置の照明系の照明動作の説明図、図４は、静止画撮影時と動画撮影時の照明系における駆動電流値の説明図、図５は、図１の照明系を駆動する駆動電流の説明図である。
【００１０】
図１において、１はカメラ付きの携帯端末装置、１０はアンテナ、２０は高周波回路部、３０は、ＣＰＵ（Ｃｅｎｔｒａｌ  Ｐｒｏｃｅｓｓｉｎｇ  Ｕｎｉｔ）３５を有して成り、装置全体の制御を行う制御手段としての制御部、４０は、システムプログラムが記憶されたＲＯＭ（Ｒｅａｄ  Ｏｎｌｙ  Ｍｅｍｏｒｙ）、５０は、データを記憶するＲＡＭ（Ｒａｎｄｏｍ  Ａｃｃｅｓｓ  Ｍｅｍｏｒｙ）、６０は、液晶表示素子（ＬＣＤ）を用いて構成され、文字情報や画像情報を表示する表示部、１００は、ＬＣＤバックライト用白色ＬＥＤ１０５を有して成り、表示部６０を照明するための照明光を発生する照明部、１１０は、カメラライト用白色ＬＥＤ１１５を有して成り、被写体を照明するための照明光を発生するカメラライト部としての撮影補助光部、８０は、照明部１００と撮影補助光部１１０とをそれぞれ、定電流駆動する駆動手段としての駆動回路部、８２は、駆動回路部８０内にあって、ＬＣＤバックライト用白色ＬＥＤ１０５とカメラライト用白色ＬＥＤ１１５とに電源電力を供給する電源部、８４は、駆動回路部８０内にあって、電源部８２の電力を制御された値の定電流として、ＬＣＤバックライト用白色ＬＥＤ１０５に供給する定電流回路、８５は、同じく駆動回路部８０内にあって、電源部８２の電力を制御された値の定電流として、カメラライト用白色ＬＥＤ１１５に対し供給する定電流回路、９０は、被写体を撮影し該撮影した画像情報を出力する撮影部、７０は入力部である。
【００１１】
表示部６０は、制御部３０の動作に関連したデータ、撮影部９０により撮影された画像、ＲＯＭ４０やＲＡＭ５０に記憶されている静止画像データ及び動画像データなどを表示する。撮影部９０は、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）カメラもしくはＣＣＤ（Ｃｈａｒｇｅ  Ｃｏｕｐｌｅｄ  Ｄｅｖｉｃｅ）カメラで構成される。入力部７０は、入力キーを有し、ユーザがキー入力操作を行えるようになっている。携帯端末装置１のカメラ機能を利用する場合、ユーザは、撮影部９０の起動、撮影補助光部１１０の点灯・消灯、撮影部９０より画像を取得するための撮影キー入力などの操作を行う。
【００１２】
制御部３０のＣＰＵ３５は、ＲＯＭ４０に記憶されたシステムプログラム及びＲＡＭ５０に記憶されたデータに基づいて、表示部６０、駆動回路部８０、撮影補助光部１１０及び撮影部９０の動作を制御する。駆動回路部８０においては、定電流回路８４、８５がそれぞれ個別に、ＣＰＵ３５により、オンまたはオフの設定及び駆動電流値の設定を制御され、電源部８２はオンまたはオフの設定を制御される。
【００１３】
電源部８２は、照明部１００のＬＣＤバックライト用白色ＬＥＤ１０５の駆動と撮影補助光部１１０のカメラライト用白色ＬＥＤ１１５の駆動とに共用される。また、該電源部８２は、チャージポンプ回路やＤＣ−ＤＣコンバータなどの電圧昇圧手段を備えて構成され、電源部８２の電池電圧などが白色ＬＥＤの順方向電圧より低い場合にも対応できるようになっている。電源として電池を用いる場合、例えば、白色ＬＥＤの順方向電圧（Ｖｆ）は約３．６Ｖであるのに対し、電池電圧は約３．３Ｖ〜４．２Ｖの範囲の値が想定されるため、低い電圧時には上記電圧昇圧手段を作動させる。電池電圧が白色ＬＥＤの順方向電圧より高い場合は、電池電圧を下げてもよいが、そのままの高い電池電圧で直接駆動するようにしてもよい。電源として用いる電池の電力は、照明部１００と撮影補助光部１１０に供給される他、高周波回路２０、制御部３０、ＲＯＭ４０、ＲＡＭ５０及びその他の装置内部分にも駆動電力として供給される。
【００１４】
照明部１００のＬＣＤバックライト用白色ＬＥＤ１０５と撮影補助光部１１０のカメラライト用白色ＬＥＤ１１５はそれぞれ、定電流回路８４、８５により互いに独立的に、ＣＰＵ３５により独立的に設定された値の駆動電流で駆動される。すなわち、ＬＣＤバックライト用白色ＬＥＤ１０５には定電流回路８４から、設定された定電流の駆動電流が供給され、カメラライト用白色ＬＥＤ１１５には定電流回路８５から、設定された定電流の駆動電流が供給される。設定される定電流値（駆動電流値）は、ＬＣＤバックライト用白色ＬＥＤ１０５とカメラライト用白色ＬＥＤ１１５で、同じ値であってもよいし、異なる値であってもよい。ＬＣＤバックライト用白色ＬＥＤ１０５とカメラライト用白色ＬＥＤ１１５は、それぞれが複数の白色ＬＥＤ素子で構成される。該複数の白色ＬＥＤ素子の数は、該ＬＣＤバックライト用白色ＬＥＤ１０５と該カメラライト用白色ＬＥＤ１１５とで互いに同数としてもよいし、異なった数としてもよい。また、該ＬＣＤバックライト用白色ＬＥＤ１０５と該カメラライト用白色ＬＥＤ１１５のそれぞれにおいて、該複数の白色ＬＥＤ素子の接続は、並列接続としてもよいし、直列接続としてもよいし、または並列接続と直列接続の組合わせであってもよい。例えば、該複数の白色ＬＥＤ素子を並列接続としかつ該複数の白色ＬＥＤ素子のそれぞれを個別に独立に駆動可能にした場合には、該白色ＬＥＤ素子と同数の複数の定電流回路ユニットを用い、該白色ＬＥＤ素子毎に該定電流回路ユニットを配する。該並列接続とした場合は、ＣＰＵ３５により、該複数の白色ＬＥＤ素子のそれぞれに対応する定電流回路ユニット毎に個別に、白色ＬＥＤ素子駆動用の駆動電流値の設定を行うことができ、ＬＣＤバックライト用白色ＬＥＤ１０５で発生する照明光またはカメラライト用白色ＬＥＤ１１５で発生する照明光の強さ（明るさ）の制御自由度を高めることができる。一方、上記複数の白色ＬＥＤ素子を互いに直列接続した場合には、駆動回路部８０と照明部１００との間の接続配線数または該駆動回路部８０と撮影補助光部１１０との間の接続配線数を少なくすることができる。このため、携帯端末装置が、該駆動回路部８０と、照明部１００や撮影補助光部１１０との間にヒンジ構造を有する構成の場合には、該ヒンジ構造部を通る配線数や該ヒンジ構造部での配線接続数などを少なくすることができ、構造の簡易化や信頼性の向上を図り易い。
【００１５】
上記照明部１００のＬＣＤバックライト用白色ＬＥＤ１０５または上記撮影補助光部１１０のカメラライト用白色ＬＥＤ１１５において、複数の白色ＬＥＤ素子のうち少なくとも１個の白色ＬＥＤ素子を駆動して点灯させる場合は、ＣＰＵ３５は、電源部８２をオン状態に設定するとともに、定電流回路８４、８５のいずれか一方または両方をオン状態に設定し、該駆動する白色ＬＥＤ素子の駆動電流値も設定する。また、反対に、ＬＣＤバックライト用白色ＬＥＤ１０５、カメラライト用白色ＬＥＤ１１５のいずれにおいても、その複数の白色ＬＥＤ素子のうちのいずれをも駆動せず点灯させない（＝消灯状態にする）場合には、ＣＰＵ３５は、該共用の電源部８２をオフ状態に設定するとともに、定電流回路８４、８５の両方をもオフ状態に設定する。
【００１６】
ＬＣＤバックライト用白色ＬＥＤ１０５または上記カメラライト用白色ＬＥＤ１１５を点灯させた状態でその輝度を変化させる場合には、それぞれの駆動電流としての定電流の設定値を変える。例えば静止画撮影の場合、被写体の照明のためにカメラライト用白色ＬＥＤ１１５を点灯させている期間では、定電流回路８４をオフ状態にしてＬＣＤバックライト用白色ＬＥＤ１０５の駆動電流としての定電流の設定値をゼロにするか、または、該定電流回路８４をオン状態にしたまま該ＬＣＤバックライト用白色ＬＥＤ１０５の駆動電流としての定電流の設定値を下げ、該ＬＣＤバックライト用白色ＬＥＤ１０５の発光輝度を低減する。すなわち、カメラライト用白色ＬＥＤ１１５の駆動電流または駆動電力を増大させるときは、ＬＣＤバックライト用白色ＬＥＤ１０５の駆動電流または駆動電力を減少させて定常時の値よりも低い（ゼロを含む）値とし、撮影補助光部１１０（カメラライト用白色ＬＥＤ１１５）と照明部１００（バックライト用白色ＬＥＤ１０５）とを合わせた照明系全体における駆動電力の増大を抑えて装置全体の省電力化を図り、電源部８２の電池に要求される電力を減らすようにする。上記カメラライト用白色ＬＥＤ１１５の駆動電流または駆動電力の増大分と、上記ＬＣＤバックライト用白色ＬＥＤ１０５の駆動電流または駆動電力の減少分とが互いに略等しい場合には、上記照明系全体での駆動電力の増大をほぼゼロにすることができる。カメラライト用白色ＬＥＤ１１５の駆動電流または駆動電力の増大により、撮影補助光部１１０の輝度が確保され、暗いところでも被写体を明るい画像として撮影することが容易に可能となる。
【００１７】
図２は、図１の携帯端末装置における駆動回路部８０、照明部１００及び撮影補助光部１１０の構成例図である。駆動回路部８０は、照明部１００と撮影補助光部１１０に対し、電源部８２を共用して駆動電流を供給する構成である。
図２において、８２ａは電源部８２を構成する電源回路、８２ｂは同じく電源部８２を構成する電池、１０５ａ１、…、１０５ａｎは、照明部１００のＬＣＤバックライト用白色ＬＥＤ１０５を構成するための複数の白色ＬＥＤ素子、１１５ａ１、…、１１５ａｎは、撮影補助光部１１０のカメラライト用白色ＬＥＤ１１５を構成するための複数の白色ＬＥＤ素子、８４ａ１、…、８４ａｎはそれぞれ、白色ＬＥＤ素子１０５ａ１、…、１０５ａｎに駆動電流としての定電流を供給するための定電流回路ユニット、８５ａ１、…、８５ａｎはそれぞれ、白色ＬＥＤ素子１１５ａ１、…、１１５ａｎに駆動電流としての定電流を供給するための定電流回路ユニットである。電源回路８２ａは、本実施形態では１個のパッケージ内に構成される。
【００１８】
本実施形態では、白色ＬＥＤ素子１０５ａ１、…、１０５ａｎは互いに並列接続され、白色ＬＥＤ素子１１５ａ１、…、１１５ａｎも互いに並列接続される。白色ＬＥＤ素子１０５ａ１、…、１０５ａｎの数と白色ＬＥＤ素子１１５ａ１、…、１１５ａｎの数は、互いに同じであってもよいし、異なっていてもよい。電源回路８２ａは、チャージポンプ回路やＤＣ−ＤＣコンバータなどの電圧昇圧手段を備え、電池８２ｂの電圧が白色ＬＥＤの順方向電圧よりも低い場合などにも、定電流回路ユニット８４ａ１、…、８４ａｎと定電流回路ユニット８５ａ１、…、８５ａｎを介して安定的に、白色ＬＥＤ素子１０５ａ１、…、１０５ａｎや白色ＬＥＤ素子１１５ａ１、…、１１５ａｎに駆動電流の定電流を供給できるようになっている。
【００１９】
電源回路８２ａ、定電流回路８４、定電流回路８５は、互いに独立に、制御部３０内のＣＰＵ３５により制御される。電源回路８２ａは、ＣＰＵ３５によりオン、オフや上記電圧昇圧手段の接続を制御され、定電流回路８４、８５はそれぞれ、オン、オフ及び形成する定電流の値を制御される。定電流回路８４では、オン状態のとき、定電流回路ユニット８４ａ１、…、８４ａｎが各個別に制御され、ＣＰＵ３５により設定された値の定電流を駆動電流として形成し、ＬＣＤバックライト用白色ＬＥＤ１０５の白色ＬＥＤ素子１０５ａ１、…、１０５ａｎに供給する。また、定電流回路８５では、オン状態のとき、定電流回路ユニット８５ａ１、…、８５ａｎが各個別に制御され、ＣＰＵ３５により設定された値の定電流を駆動電流として形成し、カメラライト用白色ＬＥＤ１１５の白色ＬＥＤ素子１１５ａ１、…、１１５ａｎに供給する。
【００２０】
例えば、静止画撮影の場合、定電流回路８５をオン状態として、定電流回路ユニット８５ａ１、…、８５ａｎを制御し、少なくとも撮影の瞬間的な期間においては被写体を照明するに十分な高い値に設定された定電流を形成してカメラライト用白色ＬＥＤ１１５の白色ＬＥＤ素子１１５ａ１、…、１１５ａｎに供給し、該各白色ＬＥＤ素子を該電流に対応した輝度で発光させ、これを照明光として被写体側等に出射させる。このとき、定電流回路８４は、オフ状態または定電流値を定常時よりも低減したオン状態にする。定電流回路８４がオフ状態では、ＬＣＤバックライト用白色ＬＥＤ１０５の各白色ＬＥＤ素子１０５ａ１、…、１０５ａｎへの駆動電流（定電流）の供給を断ち、該各白色ＬＥＤ素子１０５ａ１、…、１０５ａｎを発光させない。また、定電流値を定常時よりも低減したオン状態では、該各白色ＬＥＤ素子１０５ａ１、…、１０５ａｎに対し、定常時よりも低減した値の駆動電流（定電流）を供給し、該各白色ＬＥＤ素子１０５ａ１、…、１０５ａｎを該低レベルの電流に対応した輝度で発光させ、該発光光をバックライト用照明光として表示部６０側に出射させる。照明部１００またはＬＣＤバックライト用白色ＬＥＤ１０５における消費電力と、撮影補助光部１１０またはカメラライト用白色ＬＥＤ１１５における消費電力との合計電力を一定とした場合、ＬＣＤバックライト用白色ＬＥＤ１０５の駆動電流を低減するほど、カメラライト用白色ＬＥＤ１１５の駆動電流を増大させることができ、該カメラライト用白色ＬＥＤ１１５の発光輝度を増大させることができる。なお、白色ＬＥＤ素子１０５ａ１、…、１０５ａｎの制御にあたっては、各白色ＬＥＤ素子から出力される定電流の値を互いに等しくするようにしてもよいし、または、一部のものが他のものと異なる値の定電流を出力するようにしてもよい。白色ＬＥＤ素子１１５ａ１、…、１１５ａｎの制御についても同様である。
【００２１】
上記図２に示す構成では、駆動回路部８０として、電源部８２を少なくとも照明部１００と撮影補助光部１１０とに共用する構成としているため、これによって、該駆動回路部８０の小形化、低コスト化が可能となり、さらには付随的に、装置全体の小形化、低コスト化も可能となる。電源部８２内において電源回路８２ａを１個のパッケージ内に構成することで、小形化、低コスト化が一層助長される。
【００２２】
図３は、図１の装置における照明系の照明動作の説明図である。本図３の説明中で用いる図１の構成要素には、図１の場合と同じ符号を付すとする。図４、図５の場合も同様とする。
図３において、
（１）携帯端末装置１の撮影部９０（カメラ）を起動するためのキー入力操作が行われると、ＣＰＵ３５がこれを検知して該撮影部９０を起動（以下、カメラ起動という）させる（ステップＳ３０１）。
（２）ユーザ判断により、撮影モードが静止画撮影モードか動画撮影モードかのいずれかに切替えられる（ステップＳ３０２）。
（３）上記切替えの結果、静止画撮影モードにされた場合は、ＣＰＵ３５はこれを検知して装置を静止画撮影モードにする（ステップＳ３０３）。
（４）制御部３０（ＣＰＵ３５）が、撮影部９０から取り込んだ画像データを表示部６０にモニタ画面として随時表示する（ステップＳ３０４）。
（５）例えば、装置を周囲が暗い場所等で使用する場合、カメラ起動中において、ユーザ判断により、静止した被写体を照明するために撮影補助光部１１０のカメラライト用白色ＬＥＤ１１５を駆動し照明光を発生させるためのライトキー入力操作が行われる（ステップＳ３０５）。
（６）ＣＰＵ３５が、上記ライトキー入力操作を検知し、駆動回路部８０内の定電流回路８５を制御して、撮影補助光部１１０のカメラライト用白色ＬＥＤ１１５の点灯または消灯を行う（ステップＳ３０６）。点灯の場合は、定電流回路８５をオン状態にして、電源部８２からの電力を、該定電流回路８５を介し予め設定された定電流の駆動電流として、該カメラライト用白色ＬＥＤ１１５に供給し、消灯の場合は、該定電流回路８５をオフ状態にして、該カメラライト用白色ＬＥＤ１１５への駆動電流の供給を断つ。
（７）撮影キー入力操作が行われ、ＣＰＵ３５がこれを検出する（ステップＳ３０７）。
（８）ＣＰＵ３５は、撮影補助光部１１０のカメラライト用白色ＬＥＤ１１５の状態を検知し、該カメラライト用白色ＬＥＤ１１５が点灯状態にあるか消灯状態にあるかを判別する（ステップＳ３０８）。
（９）上記ステップＳ３０８における判別の結果、カメラライト用白色ＬＥＤ１１５が点灯状態にある場合は、ＣＰＵ３５は、定電流回路８４を制御して、電源部８２から、照明部１００のＬＣＤバックライト用白色ＬＥＤ１０５に、定電流の駆動電流として供給する電流値をゼロまたは定常時よりも減少させ、該ＬＣＤバックライト用白色ＬＥＤ１０５の消灯または減光を行う（＝照明光の強さを減らす）（ステップＳ３０９）。減光の場合は、定電流回路８４はオン状態にして該定電流回路８４における駆動電流の設定値を定常値よりも下げる。
（１０）ＣＰＵ３５は、定電流回路８５を制御し、撮影補助光部１１０のカメラライト用白色ＬＥＤ１１５の駆動電流としての定電流を増大させ、該カメラライト用白色ＬＥＤ１１５の発光輝度を増加させる（＝照明光の強さを増大させる）（ステップＳ３１０）。このとき、該カメラライト用白色ＬＥＤ１１５の駆動電流の増大分を、上記ステップＳ３０９における上記ＬＣＤバックライト用白色ＬＥＤ１０５の駆動電流の減少分と略等しくするようにしてもよい。
【００２３】
（１１）静止画撮影を行う（ステップＳ３１１）。この時、ＣＰＵ３５は、撮影部９０から取り込んだ静止画データをＲＡＭ５０に記憶させる。
（１２）静止画撮影が終了すると、ＣＰＵ３５はこれを検知して、撮影補助光部１１０のカメラライト用白色ＬＥＤ１１５の駆動電流を減らして上記ステップＳ３１０以前のレベルにし、該カメラライト用白色ＬＥＤ１１５の発光輝度を、増加前のレベルに戻す（＝減らす）（ステップＳ３１２）。
（１３）ＣＰＵ３５は、照明部１００のＬＣＤバックライト用白色ＬＥＤ１０５の駆動電流を、上記ステップＳ３０９で減少またはゼロにする前のレベルに戻し、表示部６０の明るさを元のレベルに戻す（ステップＳ３１３）。
（１４）静止画撮影の一連の動作を終了する（ステップＳ３１５）。
（１５）上記ステップＳ３０２において、装置の撮影モードが動画撮影モードに切替えられた場合は、ＣＰＵ３５はこれを検知して装置を動画撮影モードにする（ステップＳ３２１）。
（１６）制御部３０（ＣＰＵ３５）が、撮影部９０から取り込んだ動画の画像データを表示部６０にモニタ画面として随時表示する（ステップＳ３２２）。
（１７）装置を周囲が暗い場所等で使用する場合、撮影補助光部１１０のカメラライト用白色ＬＥＤ１１５を駆動し照明光を発生させるためのライトキー入力操作が行われる（ステップＳ３２３）。
（１８）ＣＰＵ３５が、上記ライトキー入力操作を検知し、駆動回路部８０内の定電流回路８５を制御して、カメラライト用白色ＬＥＤ１１５への駆動電流の供給を制御し、該カメラライト用白色ＬＥＤ１１５の点灯（発光）または消灯を行う（ステップＳ３２４）。
（１９）撮影キー入力操作が行われ、ＣＰＵ３５がこれを検出する（ステップＳ３２５）。
（２０）ＣＰＵ３５は、動画撮影を開始する（ステップＳ３２６）。
【００２４】
（２１）ＣＰＵ３５は、撮影終了キー操作を検出するかタイムアウトするまで動画像の撮影を行わせる（ステップＳ３２７）。
（２２）動画の撮影を終了する（ステップＳ３２８）。
（２３）また、上記ステップＳ３０８における判別の結果、カメラライト用白色ＬＥＤ１１５が消灯状態にある場合は、そのまま静止画撮影に入り（ステップＳ３１４）、その後、該静止画撮影を終了する。
【００２５】
上記図３におけるステップＳ３０８、ステップＳ３０９、ステップＳ３１０、ステップＳ３１１、ステップＳ３１２及びステップＳ３１３による一連の動作、ステップＳ３０８及びステップＳ３１４による動作またはステップＳ３０８、ステップＳ３１０、ステップＳ３０９、ステップＳ３１１、ステップＳ３１２及びステップＳ３１３による一連の動作はいずれも、予め設定されているプログラムにより、ＣＰＵ３５が該一連の動作手順を実行することで行われる。該プログラムは、ＲＯＭ４０にシステムプログラムとして記憶される。
【００２６】
図４は、静止画撮影時と動画撮影時のカメラライト用白色ＬＥＤ１１５（図１）における駆動電流値の説明図である。
図４において、４０１は、動画撮影時のカメラライト用白色ＬＥＤ１１５に連続的に供給される駆動電流値のレベル、４０２は、静止画撮影時の該カメラライト用白色ＬＥＤ１１５に瞬間的に供給される駆動電流値のレベル、４０３は、静止画撮影モードのモニタ表示時の該カメラライト用白色ＬＥＤ１１５に供給される駆動電流値のレベル、４１０は、静止画撮影時の駆動電流通電期間すなわち該該カメラライト用白色ＬＥＤ１１５の点灯期間、４１１は、静止画撮影が周期的に実施される場合における該撮影の周期（＝カメラライト用白色ＬＥＤ１１５の点灯周期）である。なお、上記４０３のレベルはゼロでもかまわない。動画撮影時には、被写体の動きに対応するために、長時間被写体を照明する必要がある。このため、カメラライト用白色ＬＥＤ１１５には、電流値レベルを下げた駆動電流（電流レベル４０１）を連続通電して連続発光させて照明光を得る。これに対し、静止画撮影時は、被写体の動きがないために、該被写体を瞬間的に照明することで撮影が可能となる。このため、カメラライト用白色ＬＥＤ１１５には電流値レベルを増大させた駆動電流（電流レベル４０２）を瞬間的に通電する（通電期間４１０）ことで発光させ、照明光を得る。なお、上記駆動電流は、該カメラライト用白色ＬＥＤ１１５が複数の白色ＬＥＤ素子の並列接続により構成されている場合は、該複数の白色ＬＥＤ素子に供給される駆動電流の和である。
【００２７】
例えば、瞬間的電流レベル４０２は電流通電時間が短いため、連続的な電流レベル４０１に対して大幅に高レベルとすることが可能である。電源部８２に要求される電流（電力）は、該カメラライト用白色ＬＥＤ１１５に定電流の駆動電流として供給される電流（電力）と、ＬＣＤバックライト用白色ＬＥＤ１０５に定電流の駆動電流として供給される電流（電力）との合計である。このため、本発明では、該カメラライト用白色ＬＥＤ１１５に駆動電流を通電する時は、ＬＣＤバックライト用白色ＬＥＤ１０５に通電する駆動電流のレベルを下げ、上記両電力の合計値を抑えた状態で上記カメラライト用白色ＬＥＤ１１５の駆動電流値をできるだけ増大できるようにしている。なお、電流レベル４０２に関しては、一般に、白色ＬＥＤ素子の最大順方向電流は、該白色ＬＥＤ素子の定常時に連続通電する電流レベル、該白色ＬＥＤ素子に通電する電流を増減する場合、増大させた時または減少させた時のそれぞれの通電電流レベル、該増大させた時の通電電流による点灯時間、及び増大させた時の通電電流による点灯時間と点灯周期の比率（ＤＵＴＹ）を条件として規定される。なお、減少させた時の通電電流レベルはゼロの場合もある。
【００２８】
図５は、図１における撮影補助光部１１０と照明部１００を駆動する駆動電流の説明図である。
図５において、（ａ）は照明部１００の駆動電流、（ｂ）は撮影補助光部１１０の駆動電流、（ｃ）は該両駆動電流の和であって電源部８２から供給される電流である。また、５０１はモニタ画面により表示する表示期間、５０２は撮影期間である。本例では、連続的な表示期間５０１においては、照明部１００の駆動電流、撮影補助光部１１０の駆動電流のそれぞれを１００×１０−３Ａ、瞬間的な撮影期間５０２においては、照明部１００の駆動電流をゼロ、撮影補助光部１１０の駆動電流を２００×１０−３Ａとしている。すなわち、撮影期間５０２では、撮影補助光部１１０における駆動電流の増大分（２００×１０−３Ａ−１００×１０−３Ａ＝１００×１０−３Ａ）を、照明部１００の駆動電流で減少させている。このため、照明部１００の駆動電流と撮影補助光部１１０の駆動電流の和は、撮影期間５０２においても、表示期間５０１の場合と同じ２００×１０−３Ａとなり、該撮影期間における該両部の合計消費電力の増大が抑えられる。
【００２９】
上記本発明の実施形態によれば、カメラ付きの携帯端末装置において、撮影補助光部１１０の駆動時に、該撮影補助光部１１０の発光輝度を確保した状態で、撮影補助光部１１０と照明部１００とを合わせた全体での駆動電力の増大を抑えられ、装置の省電力化が可能となる。また、駆動回路部８０及びこれを用いた携帯端末装置の小形化、低コスト化も図ることができる。
【００３０】
なお、上記実施形態では、静止画撮影時に撮影補助光部１１０のカメラライト用白色ＬＥＤ１１５の駆動電流値と照明部１００のＬＣＤバックライト用白色ＬＥＤ１０５の駆動電流値とを可変する構成につき説明したが、本発明はこれに限定されず、動画撮影時にも上記両駆動電流値の制御を行う構成としてもよい。また、表示部６０に複数のＬＣＤを設け、このうちの一部のＬＣＤにつき照明部１００のＬＣＤバックライト用白色ＬＥＤ１０５の駆動電流値による照明光の制御を行うようにしてもよい。また、上記実施形態では、カメラライト用白色ＬＥＤ１１５またはＬＣＤバックライト用白色ＬＥＤ１０５として、複数のＬＥＤ素子は、白色光を発光する白色ＬＥＤ素子としたが、本発明はこれにも限定されず、複数のＬＥＤ素子として、赤（Ｒ）、緑（Ｇ）または青（Ｂ）の色光を発光するものを用いてもよい。さらに、照明部１００または撮影補助光部１１０には、ＬＥＤ素子とは別の発光手段を用いてもよい。また、照明部１００は、バックライト式の発光手段に限定されず、例えばフロントライト式の発光手段を用いたものであってもよい。さらに、表示部６０も、ＬＣＤ以外の手段を用いて成るものであってもよい。
【図面の簡単な説明】
【００３１】
【図１】本発明の実施形態としての携帯端末装置の構成例図である。
【図２】図１の装置の照明系の構成例図である。
【図３】図１の装置の照明系の照明動作の説明図である。
【図４】静止画撮影時と動画撮影時の照明系の駆動電流値の説明図である。
【図５】図１の照明系を駆動する駆動電流の説明図である。
【符号の説明】
【００３２】
１…携帯端末装置、
１０…アンテナ、
２０…高周波回路部、
３０…制御部、
３５…ＣＰＵ、
４０…ＲＯＭ、
５０…ＲＡＭ、
６０…表示部、
７０…入力部、
８０…駆動回路部、
８２…電源部、
８２ａ…電源回路、
８２ｂ…電池、
８４ａ１、…、８４ａｎ、８５ａ１、…、８５ａｎ…定電流回路ユニット、
８４、８５…定電流回路、
９０…撮影部、
１００…照明部、
１０５…ＬＣＤバックライト用白色ＬＥＤ、
１０５ａ１、…、１０５ａｎ、１１５ａ１、…、１１５ａｎ…白色ＬＥＤ素子、
１１０…撮影補助光部、
１１５…カメラライト用白色ＬＥＤ。
【図１】
2005142916.tif 000003
【図２】
2005142916.tif 000004
【図３】
2005142916.tif 000005
【図４】
2005142916.tif 000006
【図５】
2005142916.tif 000007